(57)【特許請求の範囲】
【請求項１】
隣接する遊技台の前方領域の下部を仕切る下部仕切り板であって、
仕切り板本体と、
前記仕切り板本体を固定する固定部と、を備え、
前記仕切り板本体の側部に設けられ、前記遊技台に対して遠ざかる方向に延びるように形成される羽根部を有し、
前記羽根部は、前記仕切り板本体に取り付ける取付部を有し、
前記羽根部は、
広告用パネルを収容する収容部と、
前記収容部に収容された広告用パネルを保持する保持部と、を有することを特徴とする下部仕切り板。
【請求項２】
前記羽根部は、接触を避けるための切欠き部を有することを特徴とする請求項１に記載の下部仕切り板。
【発明の詳細な説明】
【技術分野】
【０００１】
本発明は、下部仕切り板に関する。
【背景技術】
【０００２】
パチンコ台やスロットマシン等が設置された遊技ホールでは、遊技に集中してもらうため、遊技者ごとに快適な遊技空間を提供している。例えば、特許文献１には、仕切手段を利用して利用者が楽な姿勢で遊技が行なえるように、遊技者が使用する側の腕を置く肘掛部を備えた遊技ブースが記載されている。この遊技用ブースによれば、遊技者は、その遊技機用空間を使用して快適に遊技に集中することができる。
【先行技術文献】
【特許文献】
【０００３】
【特許文献１】実用登録第３１３６４３２号公報
【発明の概要】
【発明が解決しようとする課題】
【０００４】
本発明は、遊技者が占有できる遊技空間内において、よりよい遊技環境を提供可能な下部仕切り板を提供することを目的とする。
【課題を解決するための手段】
【０００５】
上記課題を解決するため、（１）本発明は、隣接する遊技台の前方領域の下部を仕切る下部仕切り板であって、仕切り板本体と、前記仕切り板本体を床に固定する固定部と、を備え、前記仕切り板本体の側部に設けられ、前記遊技台に対して遠ざかる方向に延びるように形成される羽根部を有し、前記羽根部は、前記仕切り板本体に取り付ける取付部を有する。
【０００６】
（２）上記（１）において、前記羽根部は、広告用パネルを収容する収容部と、前記収容部に収容された広告用パネルを保持する保持部と、を有する。
（３）上記（１）又は（２）において、前記羽根部は、接触を避けるための切欠き部を有する。
（４）本発明は、隣接する遊技台の前方領域の下部を仕切る下部仕切り板であって、仕切り板本体と、前記仕切り板本体を床に固定する固定部と、を備え、広告用パネルを収容する収容部と、前記収容部に収容された広告用パネルを保持する保持部と、を有する。
（５）上記（１）から（４）のいずれか１において、前後方向及び横方向の少なくとも一方にスライドする肘置きをさらに有する。
【０００７】
（６）上記（５）において、前記肘置きの前記仕切り板本体側に設けられ、肘置きに置かれた手が接触可能な板部材をさらに有する。
（７）上記（１）から（６）のいずれか１において、収納状態から展開状態に展開可能なテーブルを有する。
（８）上記（７）において、前記テーブルが前記展開状態において回動軸方向にスライドしたときに前記テーブルの回動を規制するロック部と、前記テーブルが展開状態において前記回動軸方向に前記テーブルに対して付勢力を与える付与部と、をさらに有する。
（９）上記（１）から（６）のいずれか１において、前記仕切り板本体の少なくとも一方の面に設けられたポケットをさらに有する。
【０００８】
（１０）上記（１）から（９）のいずれか１において、前記仕切り板本体を膳板に固定するための固定部をさらに有する。
（１１）上記（１）から（１０）のいずれか１において、前記肘置きの高さを調整する調整部をさらに有する。
（１２）上記（１１）において、前記調整部は、前記固定部から垂直方向に立設されたフレーム部と、前記仕切り板本体と前記フレーム部を固定する固定手段と、を有する。
【発明の効果】
【０００９】
本発明によれば、遊技者が占有できる遊技空間内において、よりよい遊技環境を提供可能な下部仕切り板を提供することができる。
【図面の簡単な説明】
【００１０】
【図１】遊技島に第１実施形態に係る下部仕切り板の利用状態を模式的に表した図である。
【図２】本発明の第１実施形態に係る下部仕切り板のテーブルが収納されている状態を示す斜視図である。
【図３】本発明の第１実施形態に係る下部仕切り板のテーブルが収納されている状態を示す斜視図である。
【図４】本発明の第１実施形態に係る下部仕切り板のテーブルが収納されている状態を示す構成図である。
【図５】本発明の第１実施形態に係る下部仕切り板の肘置きを説明する図である。
【図６】本発明の第１実施形態に係る下部仕切り板のテーブルを展開した状態を示す図である。
【図７】本発明の第１実施形態に係る下部仕切り板のテーブルを展開した状態を示す図である。
【図８】本発明の第１実施形態に係る下部仕切り板の羽根部の広告収納部について説明する図である。
【図９】本発明の第１実施形態の変形例に係る下部仕切り板を説明する図である。
【図１０】本発明の第２実施形態に係る下部仕切り板にポケットを取り付けた状態を示す斜視図である。
【図１１】本発明の第２実施形態に係る下部仕切り板にポケットの取り付け方を示す分解斜視図である。
【図１２】本発明の第２実施形態の変形例に係る下部仕切り板にポケットを取り付けた状態を示す斜視図である。
【図１３】本発明の第２実施形態の変形例に係る下部仕切り板にポケットを取り付けた状態を示す斜視図である。
【発明を実施するための形態】
【００１１】
以下、添付図面を参照して、本発明を実施するための形態（以下、実施形態）について詳細に説明する。以降の図においては、実施形態の説明の全体を通して同じ要素には同じ番号又は符号を付している。
【００１２】
＜第１実施形態＞
以下、図１〜図９を参照しながら本発明の第１実施形態に係る下部仕切り板の構成について詳細に説明する。図１は、遊技島Ａに第１実施形態に係る下部仕切り板１の利用状態を模式的に表した図である。
【００１３】
図１に示すように、遊技ホールには、複数の遊技島Ａが配置され、遊技島Ａごとに複数の遊技台Ｂが設置されている。第１実施形態に係る下部仕切り板１は、隣接する遊技台の前方領域の下部を仕切るものである。この下部仕切り板１は、前面が遊技台Ｂの枠体とほぼ同じ位置となるように各遊技台Ｂの台間に配置される上部仕切り板Ｃの床方向に設置されている。
【００１４】
図２は、本発明の第１実施形態に係る下部仕切り板のテーブルが収納されている状態を示す斜視図である。図３は、本発明の第１実施形態に係る下部仕切り板のテーブルが収納されている状態を示す斜視図である。図４は、本発明の第１実施形態に係る下部仕切り板のテーブルが収納されている状態を示す構成図、（ａ）は正面図、（ｂ）は左側面図、（ｃ）は右側面図、（ｄ）は背面図である。
【００１５】
図５は、本発明の第１実施形態に係る下部仕切り板の肘置きを説明する図、（ａ）は肘置きの上面図、（ｂ）は底面図、（ｃ）は（ｂ）のＸ−Ｘ断面図である。図６（ａ）は、本発明の第１実施形態に係る下部仕切り板のテーブルを展開した状態を示す図、（ｂ）はテーブルの取付部を説明する図である。図７は、本発明の第１実施形態に係る下部仕切り板のテーブルを展開した状態を示す図である。図８は、本発明の第１実施形態に係る下部仕切り板の羽根部の広告収納部について説明する図である。
【００１６】
（下部仕切り板）
図２から図７に示すように、下部仕切り板１は、仕切り板本体１０、羽根部１１、テーブル２０、肘置き３０、側部固定部４０、高さ調整部４１、下部固定部４２を有する。
【００１７】
（仕切り板本体）
仕切り板本体１０は、板形状に形成されており、金属やアルミニウムによって構成され、その周囲は塗装が施されている。なお、仕切り板本体１０に複数の穴を設けて、通気性を確保するようにしてもよい。仕切り板本体１０にはフック６０が設けられており、このフック６０に物を掛けることができる。また、仕切り板本体１０には傘、洋服収納容器又はメダル収納容器等を保持する保持部を設けることができる。仕切り体本体を樹脂製の素材によって構成することもできる。
【００１８】
（羽根部）
仕切り板本体１０の側部には樹脂製の羽根部１１が設けられている。この羽根部１１は、遊技台に対して遠ざかる方向に延びるよう形成されており、下部の一部は接触を避けるための切欠部１１ｃが形成されている。この切欠部１１ｃが有ることによって、椅子を回転させたときに、椅子や遊技者の足が羽根部１１に接触することを防ぐことができる。
【００１９】
羽根部１１は、客が接触した時に破損し、あるいは遊技客が怪我を負わないようにするため、一定程度の強度と弾性を有する素材であることが好ましい。これらの条件を満たすためにはアクリル製のボード、例えば、エラストマー性樹脂が含有される素材を使用するのが好ましい。エラストマー性樹脂は、数あるプラスチックの中でもゴム的な性質を最大の特徴としており、ゴムとプラスチックの双方にまたがるような非常に特徴ある使われ方がなされており、一定の強度と弾性を有する点で羽根部１１の素材として最適である。なお、エラストマー性樹脂に限定されず、透明であって一定の強度と弾性を有する素材であれば代替可能である。
【００２０】
羽根部１１の形状又は大きさは、遊技店に設置される隣接する遊技島との間隔や、遊技台の台間に設置される上部仕切り板（図１で示す上部仕切り板Ｃ）の形状、及び大きさに応じて適宜変更可能である。なお、羽根部１１と、仕切り板本体１０は一体成形されていてもよい。
【００２１】
図６（ａ）に示すように、羽根部１１は、仕切り板本体１０の孔１０ｂにネジ（取付部）４３によって取付ることができる。仕切り板本体１０に形成されている孔１０ｂにネジ４３で固定することができ、取り外すときは、ネジ４３を緩めることによって、取り外すことができる。羽根部１１は、大きい羽根部と、小さい羽根部とを用意しておき、必要に応じて大きい羽根部と小さい羽根部を選択的に取付部４３によって仕切り板本体１０に取付ることができる。
【００２２】
図８に示すように、羽根部１１には、広告用パネルＰを収容する収容部１１ａが形成されており、収容部１１ａに収容された広告用パネルを保持する保持爪（保持部）１１ｂが設けられている。図８（ａ）に示す状態から、保持爪１１ｂにそって広告用パネルＰを収容部１１ａに収容させていき（同図（ｂ））、広告用パネルＰすべてを収容部１１ａに入れることができる（同図（ｃ））。この構成によって広告用パネルＰを簡単に変更することができる。図に示す例では、羽根部１１の両側にそれぞれ広告用パネルを収容することができるように構成したが、両側に広告表示がなされた１枚の広告用パネルを一つ収容部に装着して、両側から視認することができるように構成することもできる。なお、広告用パネルＰを収容する収容部を羽根部に設ける例について説明したが、広告用パネルＰを収容する収容部を仕切り板本体１０に設けるようにしてもよい。
【００２３】
（テーブル）
下部仕切り板１は、テーブル２０が設けられており、不使用時には仕切り板本体１０の内側に折り畳まれて収納される。図６（ａ）に示すように、このテーブル２０は収納状態から展開状態に展開させることができる展開可能なものであり、収納状態から展開状態に起こしたときに、テーブル２０を遊技台に対して前後方向にスライドさせることができる。仕切り板本体１０には仕切り板本体１０から突出し、テーブル２０の回動を規制するロック部２５が取り付けられている。このロック部２５によって、テーブル２０は、展開状態において回動軸方向にスライドさせたときにテーブル２０の回動が規制されている。
【００２４】
また、図６（ｂ）に示すように、テーブル２０が展開状態において回動軸方向にテーブル２０に対して付勢力を与えるバネ（付与部）２４が設けられている。突起２３と回転軸２１に設けられた突起２２の間に設けられたバネ２４によって、回転軸方向に付勢力が与えられ、ロック部２５に当接するテーブル２０は回動が規制される。尚、図においては、回動によって収納状態から展開状態へ移行する場合を例にとって説明しているが、これに限られず、収納状態から展開状態へ移行することができるものであれば、例えば引き出し式等の場合も含まれる。
【００２５】
（肘置き）
仕切り板本体１０は、仕切り板本体１０の遊技者の側方と対向する側の面の反対側の面に肘置き３０が設けられる。図３及び図４等に示すように、肘置き３０の仕切り板本体１０側には、板部材３２が設けられている。この板部材３２を設けることによって、肘置き３０に置かれた手が板部材３２に接触可能であり、遊技者がハンドルに手を掛ける際の負担を軽減することができる。
【００２６】
次に肘置き３０のスライドについて説明する。図５（ｂ）に示すように、肘置き３０の下側には、プレート７１が設けられている。仕切り板本体１０には、取付金具７０が固定されている。取付金具７０には、遊技者から左右方向に延びる長孔７２が形成されている。取付金具７０とプレート７１は、長孔７２を介してボルト７３によって取付されている。ボルト７３を緩めることによって、プレート７１は取付金具７０に対して、左右方向に移動することができ、これによって、肘置き３０を遊技台からみて左右方向（横方向）にスライドさせることができる。
【００２７】
また、図５（ｃ）に示すように、肘置き３０とプレート７１は、スライドレール３１を介して取り付けられている。スライドレール３１は、それぞれネジを介して肘置き３０とプレート７１に固定されている。スライドレール３１は、バネ等によって元の位置に戻るように付勢力が与えられている。スライドレール３１によって、遊技台の前後方向に肘置き３０をスライドさせることができる。これによって遊技者の負担を軽減することができると共に、メンテナンス時には遊技台の扉の開閉をしやすくできる。
【００２８】
（側部固定部）
次に側部固定部４０について説明する。図１、図２及び図６に示すように、側部固定部４０は、取付金具４０ｂが設けられており、この取付金具４０ｂには、複数の孔４０ａが形成されている。取付金具４０ｂは、膳板Ｄの下側に位置し、ネジを介して膳板Ｄに螺着固定される。テーブル２０が展開状態となったときにテーブル２０の上面と膳板Ｄの上面が略一致するように、仕切り板本体１０に対する取付金具４０ｂの位置が決定されている。このように構成することで、テーブル２０と膳板Ｄを遊技者が一体的に使用することができる。
【００２９】
（高さ調整部）
図２に示すように、下部仕切り板１には、肘置き３０の高さを遊技台のハンドルの高さに対して調整するために調整部４１が設けられている。調整部４１は、下部固定部４２を構成する取付金具４２ａから垂直方向に立設されたフレーム部４２ｃと、仕切り板本体１０とフレーム部４２ｃを固定するネジ（固定手段）４２ｄと、を有する。仕切り板本体１０は、端部が中空に形成されており、この端部に対してフレーム部４２ｃが摺動可能に構成されている。膳板Ｄの下部と取付金具４２ａの位置が決まると、フレーム部４２ｃと仕切り板本体１０の位置関係が決定する。
【００３０】
（下部固定部）
次に下部固定部について説明する。図２に示すように、下部固定部４２は、仕切り板本体１０を床に固定するためのものである。下部固定部４２は、取付金具４２ａを有し、この取付金具４２ａには、複数の孔４２ｂが設けられている。上記高さ調整後、取付金具４２ａの孔４２ｂにアンカー等でホールの床面に打ち付けることにより、下部仕切り板１を、床面にしっかりと固定することができる。
【００３１】
＜第１実施形態の変形例＞
第１実施形態の変形例について説明する。図９は、第１実施形態の変形例を説明する図である。上記第１実施形態では、仕切り板本体を一体のものとして構成したが、図９に示すように、仕切り板本体を上部仕切り板本体１００ａと下部仕切り板本体１００ｂに分割して構成することもできる。上部仕切り板本体１００ａ及び下部仕切り板本体１００ｂは、例えば、プラスチック等の樹脂製のカバーや樹脂製のメッシュにて構成される。上部仕切り板本体１００ａには、羽根部１１１が一体成形されている。下部仕切り板は、金属製のフレーム５０に上部仕切り板本体１００ａ及び下部仕切り板本体１００ｂを装着することによって構成されている。
【００３２】
＜第１実施形態の効果＞
第１実施形態に係る下部仕切り板１によれば、遊技者は、快適に遊技を行えることができ、また、仕切り板本体１０の一方の面に収納可能なテーブル２０を有することで、遊技者は、そのテーブル２０上に、煙草が入った箱、携帯電話、あるいは飲みかけの飲料缶等をその遊技空間内に載置していつでも使用できるような状態にしておくことができる。また、他方の面に肘置き３０を備えることで利用者が楽な姿勢で遊技が行なえるようになる。
【００３３】
また、高さ調整部４１を有することで、遊技店によって高さが異なる膳板に合わせて設置が可能となる。また、仕切り板本体１０の側部に、着脱自在に設置される羽根部１１を設けることで、当該羽根部１１に遊技場のサービス案内情報等、ＰＯＰ（Point  of  purchase  advertising）広告を貼付することができ、タイムリーで的確な宣伝と情報提供が可能になる。
【００３４】
＜第２実施形態＞
第１実施形態では仕切り板本体１０の一方の面にテーブル２０を設けたが、第２実施形態は、テーブル２０に代えて、ポケット８０を設けたものである。ポケット８０を設けた場合にも、煙草が入った箱、携帯電話、あるいは飲みかけの飲料缶等をその遊技空間内に載置していつでも使用できるような状態にしておくことができる。図１０から図１３を用いて、第２実施形態について説明する。なお、テーブル２０に代えてポケット８０とした点以外は第１実施形態と同様であるので、それらの点の説明は省略する。
【００３５】
図１０では、ポケット８０を仕切り板本体１０の上部であって肘置き３０とは反対側の面に取り付けた場合を示している。図１１は、図１０のポケット８０の取り付け方を仕切り板本体１０の反対側すなわち肘置き３０の側からみた図である。ポケット８０は、その上部に取り付け用の孔８０ａを有しており、仕切り板本体１０の上部に設けられている取付金具１０ａによって仕切り板本体１０に固定される。図示するように、ポケット８０は、その幅において広狭の部分を有しており、収納する物品の大きさによってポケット８０内の適した位置を選択できるようになっている。
【００３６】
ポケット８０の取付位置はこれに限らず、仕切り板本体１０に対して幾分下側になるように取り付けてもよい。図１２は、ポケット８０が仕切り板本体１０の上部よりもポケット８０のほぼ１個分だけ下方に取り付けられた変形例を示している。なお、ポケット８０は、足を組んだり、少し斜めを向いたりして遊戯する遊技者の姿勢に応じ易いように、仕切り板本体１０の枠体に沿って上下にスライドするように構成してもよい。
【００３７】
さらに、ポケット８０の取付位置は、仕切り板本体１０の上部であって肘置き３０の側の面に取り付けてもよい。図１３は、図１２の取付位置に対応する箇所に取り付けられた変形例を示している。このようにすると、肘置き３０とポケット８０が干渉せずに、ポケット８０に前述した物品を収納することができる。また、この場合、図１０及び図１１に示したように、仕切り板本体１０の反対側の面の上部にもポケット８０を取り付けることができ、ポケット８０は、仕切り板本体１０の少なくとも一方の面に取り付けられればよい。
【００３８】
また、図１０から図１３ではポケット８０として剛性の枠体から構成されたものを図示したが、ポケット８０は、これに限らず、例えば、折り畳み式のカップホルダー様のものや、剛性の枠体に代えて網かご状又はネット状のものなどであってもよく、仕切り板本体１０に取り付けられるように、かつ、物品を収納するように構成されているものであれば、種々の態様のものを採用することができる。
【００３９】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４０】
１…下部仕切り板
１０…仕切り板本体
１１…羽根部
２０…テーブル
３０…肘置き
４０…側部固定部
４１…高さ調整部
４２…下部固定部
５０…フレーム
６０…フック
７０…取付金具
８０…ポケット
【図１】
0006771278.tif 000002
【図２】
0006771278.tif 000003
【図３】
0006771278.tif 000004
【図４】
0006771278.tif 000005
【図５】
0006771278.tif 000006
【図６】
0006771278.tif 000007
【図７】
0006771278.tif 000008
【図８】
0006771278.tif 000009
【図９】
0006771278.tif 000010
【図１０】
0006771278.tif 000011
【図１１】
0006771278.tif 000012
【図１２】
0006771278.tif 000013
【図１３】
0006771278.tif 000014